(57)【要約】      （修正有）【課題】容器の内容量を把握できる使い勝手の良さと、優れたデザイン性と、収納性を有するボトルパッケージを提供する。【解決手段】ソース、醤油、餃子たれ、酢、ドレッシング、シロップなどの液状内容物を入れた透明ボトル容器１１と、この透明ボトル容器１１の下側部及び底部の周囲に配置される包装パッケージ１２と、包装パッケージ１２の横側面に設けられ透明ボトル容器の液状内容物の残存量を表示する丸孔１３ａ（レベル表示部）とを有するようにボトルパッケージ１０を構成する。【選択図】図１
0003140097.tif 000002
【実用新案登録請求の範囲】
【請求項１】
ソース、醤油、餃子たれ、酢、ドレッシング、シロップなどの液状内容物を入れた透明ボトル容器と、この透明ボトル容器の下側部及び底部の周囲に配置される包装パッケージと、前記包装パッケージの横側面に設けられ前記透明ボトル容器の液状内容物の残存量を表示するレベル表示部とを有することを特徴とするボトルパッケージ。
【請求項２】
前記透明ボトル容器と前記包装パッケージとを係止させるボトル係止部が前記包装パッケージの内側面に配置されていることを特徴とする請求項１記載のボトルパッケージ。
【請求項３】
前記ボトル係止部が前記包装パッケージの横側面に穿設されたレベル表示部であって、前記透明ボトル容器側面に形成された凸状部が前記レベル表示部に嵌合して透明ボトル容器が前記包装パッケージに係止されることを特徴とする請求項１又は２記載のボトルパッケージ。
【請求項４】
前記包装パッケージが生分解性樹脂や再生紙を原料とした環境対策材料で形成されていることを特徴とする請求項１〜３の内いずれか１項に記載のボトルパッケージ。
【考案の詳細な説明】
【技術分野】
【０００１】
本考案は、家庭の食卓やレストランなどの調理現場で用いられる包装パッケージを有したビンやペットボトルなどのボトルパッケージに関する。
【背景技術】
【０００２】
従来から、ソース、醤油、餃子たれ、酢、ドレッシング、シロップなどの液状内容物が入れられるボトル容器の包装パッケージとして、そのボトル面に直接印刷又は貼り付けられるプラスチックフィルムや紙フイルムなどが用いられ、ボトル容器の内容量を外からは見えなくして、デザイン性を有した広告や情報を包装パッケージ上に表示させるというのが基本の考え方であった。また、このような包装パッケージは、流通段階におけるボトル容器の保護の他にも、環境に優しくリサイクルに適した環境保護性、そのデザイン性などが重視されるようになってきた。
このようなパッケージに関連して、例えば特許文献１には、カートン紙型等の防水面から構成される包装を含むボトルパッケージであって、該包装は底部と包装壁とを備えるように折り畳まれ、該包装壁は平面部分とアコーディオン状の折り畳み部分とからジグザグ状に形成されるパッケージが記載されている。そして、このパッケージの折り畳み構成時にはシャンペンボトル等の比較的壊れやすい内容物を衝撃から保護し、展開構成時にはワインクーラーの役割を果たすようになっている。
【特許文献１】特開２００５−２８９４０６
【考案の開示】
【考案が解決しようとする課題】
【０００３】
前記従来のボトルパッケージは、基本的にその流通段階におけるボトル容器の保護（割れ、傷つき）を目的とした保護カバーとしての役割を担うもので、食卓や調味料場などでの使用にあたってはその内容物の残存量を視認するのには不便であった。また、包装パッケージが貼り付けられボトル容器を一旦使い切った場合には、ボトル容器とパッケージとの剥離が困難であるためその再利用にとって不都合であり、分別処理などの環境保護面や経済面での問題があった。
【０００４】
本考案は、前記従来の課題を解決するためになされたもので、ソースなどの調味料入り容器などにおいて、その内容量を容易に視認でき、使い勝手の良さと優れたデザイン性を有するとともに、流通の段階においても容器の保護を兼ね、かつ、販売時にも店頭の棚へ効率よく陳列でき、鍋や皿などへ注ぐ際にも注ぎやすいボトルパッケージとすることを目的とする。
【課題を解決するための手段】
【０００５】
（１）前記課題を解決するためになされた本考案のボトルパッケージは、ソース、醤油、餃子たれ、酢、ドレッシング、シロップなどの液状内容物を入れた透明ボトル容器と、この透明ボトル容器の下側部及び底部の周囲に配置される包装パッケージと、前記包装パッケージの横側面に設けられ前記透明ボトル容器の液状内容物の残存量を表示するレベル表示部とを有することを特徴とする。
【０００６】
（２）本考案のボトルパッケージは前記（１）において、前記透明ボトル容器と前記包装パッケージとを係止させるボトル係止部が前記包装パッケージの内側面に配置されていることにも特徴を有している。
【０００７】
（３）本考案のボトルパッケージは、前記（１）又は（２）において、前記ボトル係止部が前記包装パッケージの横側面に穿設されたレベル表示部であって、前記透明ボトル容器側面に形成された凸状部が前記レベル表示部に嵌合して透明ボトル容器が前記包装パッケージに係止されることにも特徴を有している。
【０００８】
（４）本考案のボトルパッケージは、前記（１）〜（３）において、前記包装パッケージが生分解性樹脂や再生紙を原料とした環境対策材料で形成されていることにも特徴を有している。
【考案の効果】
【０００９】
本考案によれば、透明ボトル容器の液状内容物の残存量を表示するレベル表示部を包装パッケージの横側面に設けているので、ソースなどの調味料入り容器などにおいて、その内容量を容易に把握できる使い勝手の良さと優れたデザイン性を有しているとともに、この包装パッケージを透明ボトル容器の下側部及び底部の周囲に配置しているので、
流通の段階においても容器の保護を兼ね、かつ、販売時にも店頭の棚へ効率よく陳列でき、リサイクル時においても、ボトル容器から包装パッケージを容易に分離できる。
【考案を実施するための最良の形態】
【００１０】
本実施形態のボトルパッケージは、ソース、醤油、餃子たれ、酢、ドレッシング、シロップなどの液状内容物を入れた透明ボトル容器と、この透明ボトル容器の下側部及び底部の周囲に配置される包装パッケージと、前記包装パッケージの横側面に設けられ前記透明ボトル容器の液状内容物の残存量を表示するレベル表示部とを有して構成されている。これによって、その内容量を容易に把握できる使い勝手に優れ、しかも冷蔵庫のようなスペースに効率よくボトル容器を収納できるとともに、鍋や皿などへ注ぐ際にも注ぎやすいボトルパッケージとすることができる。
【００１１】
透明ボトル容器は、例えば、ガラス材などの透明材料や、ポリエチレンテレフタレートやポリプロピレンなどのプラスチック材を原料として、その外形が四角柱状、三角柱状、略円柱状などに形成された容器体である。
この容器体には、ソース、醤油、餃子たれ、酢、ドレッシング、シロップなどの液状内容物や、それらに具材などの固形物を混合させた固液混合状内容物が入れられている。
透明ボトル容器のプラスチック材としては、ポリエチレンテレフタレートなどの他にも、ポリ乳酸、乳酸と他のヒドロキシカルボン酸との共重合体などからなる生分解性樹脂などを適用することができる。
透明ボトル容器は、開閉栓可能なキャップがボトル口部に螺合して装着され、その容量が約４００〜１０００ｍｌ、ボトル高さが約５０〜２００ｍｍであり、溶融成形法などにより形成されたものが用いられる。
【００１２】
包装パッケージは、例えば、その厚みが０．１〜１ｍｍの紙材やプラスチック材などによって、上部蓋なしで底付きなどの形状で箱型状に形成され、前記透明ボトル容器を上方から挿入させて一体化させて適用される。
この包装パッケージは、流通段階における瓶の保護性と、透明ボトル容器との分離を容易にすることによるリサイクル性や、この包装パッケージ自体によるデザイン性の向上などを図るものである。
【００１３】
レベル表示部は、前記包装パッケージの横側面に、スリット状、丸孔状、あるいはこれらを複数組み合わせて切り抜かれた貫通部であって、この貫通部を透して前記透明ボトル容器内に残る液状内容物の量を外部から視認することができるようにした、包装パッケージの横側面に穿設された覗き孔となる部分である。
【００１４】
また、本実施形態のボトルパッケージは、前記透明ボトル容器と前記包装パッケージとを係止させるボトル係止部が前記包装パッケージの内側面に配置されていることにも特徴を有している。これによって、その再生処理や廃棄処理に際して、透明ボトル容器と包装パッケージとの分離処理が容易となるボトルパッケージを提供することができる。
ボトル係止部は、包装パッケージの側部や底部に設けられて透明ボトル容器に形成された凹凸部などに係合する、内側突起部やスリットなどの貫通部、面状ファスナなどであって、ボトルパッケージの使用後には透明ボトル容器と前記包装パッケージとの分離を容易にしてそのリサイクル処理性を高めるとともに、ボトルパッケージの使用時には両者を確実に係止してデザイン性や流通段階におけるボトル保護の機能を付与するようにしたものである。
【００１５】
さらに、本実施形態のボトルパッケージは、前記ボトル係止部が前記包装パッケージの横側面に穿設されたレベル表示部であって、前記透明ボトル容器側面に形成された凸状部が前記レベル表示部に嵌合して透明ボトル容器が前記包装パッケージに係止されることにも特徴を有している。これによって、この凸状部付近における内容物のメニスカス面をそのレンズ効果によって拡大表示して、透明ボトル容器に残存した内容物の量を明瞭に視認することができる。
【００１６】
本実施形態のボトルパッケージは、前記包装パッケージが生分解性樹脂や再生紙を原料とした環境対策材料で形成されていることにも特徴を有している。これによって、再利用性を高め、環境保全に配慮したボトルパッケージを提供することができる。
生分解性樹脂は、例えば、ポリ乳酸、乳酸と他のヒドロキシカルボン酸との共重合体を含むアルカリ分解性生分解性樹脂や、でん粉系生分解樹脂が適用でき、これら１種または２種以上を混合して用いることもできる。でん粉系生分解性樹脂としては、例えばアニオン変性でん粉系樹脂、カチオン変性でん粉系樹脂、エステル修飾でん粉系樹脂等が挙げられる。
【００１７】
再生紙は、例えば、再生パルプを含むパルプスラリーを抄造して得た紙表面に、生分解性樹脂などを塗布して、加熱乾燥させる等により生分解樹脂層を有した紙シートとすることができる。また、このような抄紙工程に用いられる各種添加剤、処理剤等を併用して得ることができ、環境保護性に加えて、耐水性や強度にも優れたものとすることができる。
【００１８】
次に本考案を具体化した実施例１〜５について図面を参照しながら説明する。
【実施例】
【００１９】
（実施例１）
図１は本考案の実施例１に係るボトルパッケージの斜視図である。実施例１のボトルパッケージ１０は、ソースなどの液状内容物が入れられた透明ボトル容器１１と、この透明ボトル容器１１の下側部及び底部の周囲に、厚みが０．５ｍｍの紙材により箱型状に形成された包装パッケージ１２と、液状内容物の残存量を表示するための上下４つの丸孔１３ａにより形成されたレベル表示部１３とを有して構成されている。
透明ボトル容器１１は、その本体部分が高さ約２００ｍｍ、縦横約６０ｍｍの角型容器体であって、ガラス材などにより形成され、その上部開口に、スクリュー式またはヒンジ式の開栓自在のプラスチック製キャップ１１ａや金属製キャップなどを備えている。透明ボトル容器１１に入れられる液状内容物としては、例えば、生野菜を一昼夜煮込んで数種の香辛料を使ったウスターソース、ウスターソースに野菜・果実（リンゴ）と「とろみ」を加えた中濃ソース、野菜とくだものの完熟ソース、香辛料をきかしたソース、お好み焼ソース、うなぎエキス入りソースなどのソース類や、醸造酢に、はちみつ・麦芽飴・ビタミン類を配合した健康酢、カレースパイスなどが挙げられる。
【００２０】
包装パッケージ１２は、厚みが約０．３ｍｍのカートン紙などを素材として、矩形状からなり互いに連接された側面部１２ａ〜１２ｄと、その底面部１２ｅとにより、箱型状に形成され、側面部１２ａ〜１２ｄには、透明ボトル容器１１の内容物に関わる製造データや品質データ、ロゴマークなどの広告が印刷表示されている。
側面部１２ａに設けられたレベル表示部１３は、直径が約３〜５ｍｍの丸孔１３ａを４個上下方向に等間隔で配列したものであって、側面部１２ｂ〜１２ｄにも必要に応じて設けることができる。
なお、この丸孔１３ａの部分に透明プラスチック材を嵌合させて覗き部としたり、この丸孔の部分にプラスチックレンズを配設したりすることによって、レベル表示部として構成することも可能である。
包装パッケージ１２は、透明ボトル容器１１が挿入できるとともに透明ボトル容器１１との隙間が無いように形成されており、透明ボトル容器１２を包装パッケージ１２の開口部上から差し込むことで係止できるようになっている。
なお、レベル表示部として構成される４個の丸孔１３ａを、例えば、縦約１０〜５０ｍｍの長孔状に形成して、包装パッケージ１２に単数もしくは複数配置するようにしてもよい。
【００２１】
（実施例２）
図２は本考案の実施例２に係るボトルパッケージの説明図である。図示するように実施例２のボトルパッケージ２０は、その側面に細長の凸状部２１ａが形成された透明ボトル容器２１と、凸状部２１ａに嵌合する長孔２２ａがその箱型状の側面に穿設された包装パッケージ２２とを備えている。
長孔２２ａは、レベル表示部として機能して透明ボトル容器２１内の液状内容物の残存量などを表示するとともに、透明ボトル容器２１の凸状部２１ａに係止して包装パッケージ２２を接合する機能も合わせ持ったものである。
ここでは、包装パッケージ２２の印刷面上又はこの面上から突出して凸状部２１ａが配置されるとともに、その先端がレンズのように丸みを帯びて形成されているために、この凸状部２１ａによるレンズ効果により透明ボトル容器２１内の液状内容物の残存レベルを容易に視認することができる。
なお、透明ボトル容器２１の凸状部２１ａは、透明ボトル容器２１とは別体で作成して透明ボトル容器２１の側面に接着してもよい。
【００２２】
（実施例３）
図３は本考案の実施例３に係るボトルパッケージの説明図である。実施例３のボトルパッケージ３０は、その側面部が開口先端に向かって縮小するように、テーパ状にその水平横断面が四角状や三角状、円形状などに形成された透明ボトル容器３１と、このテーパ状の透明ボトル容器３１に嵌合する箱型状に形成された包装パッケージ３２とを備えて構成されている。
すなわち、ボトルパッケージ３０は、それぞれテーパ状に形成された透明ボトル容器３１と包装パッケージ３２とが互いに嵌合することで、ボトルパッケージ３０が透明ボトル容器３１から抜け落ちないようになっている。
また、包装パッケージ３２の側面には、４個の丸孔３２ａが上下方向に配列されてレベル表示部が形成され、透明ボトル容器３１に保持される液状内容物の残存レベルをこの丸孔３２ａを通して視認することができる。
【００２３】
（実施例４）
図４は本考案の実施例３に係るボトルパッケージの説明図である。実施例４のボトルパッケージ４０は、その側部に凹部４１ａを有する透明ボトル容器４１と、凹部４１ａに嵌合するボトル係止部４２ａをその内側面に有して、レベル表示部となる上下２段構成からなる長孔４２ｂ、４２ｃを備えた包装パッケージ４２とを有している。
凹部４１ａは、ガラス材などにより製造される透明ボトル容器４１の側面に形成された表面が内方に窪んだ部分であり、この凹部４１ａに包装パッケージ４２の内側面に形成された突起状のボトル係止部４２ａを係止させることによって、透明ボトル容器４１が包装パッケージ４２からすっぽ抜けることなく一体化できるようになっている。
なお、このような透明ボトル容器４１や包装パッケージ４２を、生分解性樹脂や再生紙などを原料として製造することによって、その廃棄処理やリサイクル処理における環境保護性をさらに高めることもできる。
【００２４】
（実施例５）
図５は本考案の実施例５に係るボトルパッケージの説明図である。図示するように実施例５のボトルパッケージ５０は、その側面に上下４つの凸状部５１ａが形成された透明ボトル容器５１と、この透明ボトル容器５１を収納する蓋部５２ａ付きの包装パッケージ５２とを有している。
凸状部５１ａは、透明ボトル容器５１の側面の一部が外方に突出して形成された部分である。包装パッケージ５２に穿設されたボトル係止部となる開口部５２ｂにこの凸状部５１ａを嵌合させることによって、包装パッケージ５２を透明ボトル容器５１に固定できる。また、透明ボトル容器５１内の液状内容物の残存レベルを表示するためのレベル表示部としても凸状部５１ａを機能させることができる。
包装パッケージ５２は、その開口する蓋部５２ａを、タンパーエビデント分離部５２ｃを介して分離可能に形成された箱型状包装体であって、その側面には、細長のスリット５２ｄが穿設されている。
この透明ボトル容器５１は蓋部５２ａを取り除いた後、包装パッケージ５２の下部を装着した状態で使用に供することができ、凸状部５１ａとスリット５２ｄとからなるレベル表示部を備えることによって液状内容物の残存レベルの表示機能を有している。
【００２５】
以上説明したように、本考案のボトルパッケージは、透明ボトル容器の包装パッケージに液状内容物の残存量を表示するためのレベル表示部を設けたことをその要旨とするものであって、これに関わるものは本考案の権利範囲に属する。例えば、本実施例では液状内容物としてソースを例に説明したが、醤油、餃子たれ、酢、ドレッシング、シロップなども適用可能である。また、透明ボトル容器及びその包装パッケージの形状も四角型のものに限らず、丸型や中央膨出型のものなどに対しても本考案のボトルパッケージを適用することができる。
【図面の簡単な説明】
【００２６】
【図１】実施例１に係るボトルパッケージの説明図である。
【図２】実施例２に係るボトルパッケージの説明図である。
【図３】実施例３に係るボトルパッケージの説明図である。
【図４】実施例４に係るボトルパッケージの説明図である。
【図５】実施例５に係るボトルパッケージの説明図である。
【符号の説明】
【００２７】
１０    実施例１のボトルパッケージ
１１    透明ボトル容器
１１    プラスチック製キャップ
１２    包装パッケージ
１２ａ〜１２ｄ  側面部
１２ｄ    底面部
１３    レベル表示部
１３ａ    丸孔
２０    実施例２のボトルパッケージ
２１    透明ボトル容器
２１ａ  凸状部
２２    包装パッケージ
２２ａ    長孔
３０    実施例３のボトルパッケージ
３１    透明ボトル容器
３２    包装パッケージ
３２ａ    丸孔
４０    実施例４のボトルパッケージ
４１    透明ボトル容器
４１ａ    凹部
４２    包装パッケージ
４２ａ    ボトル係止部
４２ｂ、４２ｃ  長孔
５０    実施例５のボトルパッケージ
５１    透明ボトル容器
５１ａ    凸状部
５２    包装パッケージ
５２ａ    蓋部
５２ｂ    開口部
５２ｃ  タンパーエビデント分離部
５２ｄ    スリット
【図１】
0003140097.tif 000003
【図２】
0003140097.tif 000004
【図３】
0003140097.tif 000005
【図４】
0003140097.tif 000006
【図５】
0003140097.tif 000007